(57)【特許請求の範囲】
【請求項１】
合成樹脂製の外シートと内シートとを重ね合わせ、両シートの縁部を閉じてなる表紙であって、前記外シートと内シートとの少なくとも一縁部は閉じられておらず外シートと内シートとの間に外部と連通したスペースが形成されており、少なくとも外シートは無色又は有色透明であり、前記外シートと内シートとの縁部のうち、上縁部と、背表紙の下端に相当する部分とがが閉じられておらず、前記外シートと内シートとでは、内シートの方が薄いことを特徴とする表紙。
【請求項２】
中本の背表紙部分が接着される前記内シートの内側面は、他の面である外側面より粗面であることを特徴とする請求項１記載の表紙。
【請求項３】
請求項１又は２記載の表紙と、この表紙の背表紙部分に接着される中本とを具備しており、表紙に中本を接着する接着剤には透光性を有するものが使用されていることを特徴とするノート並びに書籍。
【請求項４】
前記接着剤は、ポリウレタン系接着剤であることを特徴とする請求項３記載のノート並びに書籍。
【請求項５】
前記中本の背表紙部分には、文字、図形が描かれたり、彩色が施されていることを特徴とする請求項４記載のノート並びに書籍。
【発明の詳細な説明】
【技術分野】
【０００１】
本発明は、写真やメモ等のシート状のものを入れることができる表紙と、この表紙を用いたノート、書籍とに関する。
【背景技術】
【０００２】
写真やメモ等のシート状のものを入れることができる表紙として、実用新案登録第３０３８５７７号に係る『システム手帳の表紙』がある。
この『システム手帳の表紙』は、『表紙と裏表紙を、無色又は有色透明な軟質合成樹脂板により形成すると共に、前記表紙と裏表紙の裏面に、当該表紙、裏表紙の大きさに見合った大きさの写真等のシート材を表紙又は裏表紙の表面から見えるように収納するための収納部を形成した』ものである。
従って、この『システム手帳の表紙』によれば、収納部に使用者の好みの写真等を入れることで、表紙デザインを使用者の趣味や好み知等に応じて随意に形成することができる。
【０００３】
【特許文献１】実用新案登録第３０３８５７７号
【発明の開示】
【発明が解決しようとする課題】
【０００４】
しかしながら、あくまで『システム手帳の表紙』であって、一般のノートや書籍の表紙として使用することはできない。
ノートや書籍の表紙として使用するとなると、表紙とその中身である中本との結合する工程で問題が生じるためである。この表紙では、２枚のシートを重ね合わせ、上部辺のみのを開口し、残りの三辺の周縁をヒートシール等で貼着することで構成している。ヒートシール等で貼着された部分は、他の部分より盛り上がる。
一般に表紙を中本と結合する際には、フィーダーと呼ばれる表紙送出装置で表紙を、中本側に１枚ずつ供給する。この表紙送出装置では、表紙の背表紙部分の下端を吸着して１枚ずつ送り出すため、この部分が盛り上がっていると確実な吸着ができなくなる。
従って、上述した『システム手帳の表紙』のような構成の表紙は、中本と表紙とを自動的、連続的に結合する通常のノートや書籍の工程には適用できないことになる。
【０００５】
また、通常のノートや書籍では、表紙の背表紙部分は、中本の背表紙部分に接着される。このため、表紙の背表紙部分の下端が盛り上がっていると、その部分の接着が不十分になり、表紙と中本との接着の強度が低下するという問題点もある。
【０００６】
さらに、この『システム手帳の表紙』では、収納部に写真等を入れるために外側のシートを大きく開けると、外側のシートの背表紙の下端に相当する部分に美しくないしわが入って変形する。この変形は、外側のシートの背表紙の下端に相当する部分がより下側にずれようとしているにも関わらず、その部分もヒートシール等で内側のシートに貼着されているので、その部分の変形が他の部分にも波及するために生じる。
【０００７】
本発明は、上記事情に鑑みて創案されたもので、スペースにシート状のものを入れることができ、一般的な表紙送出装置で送り出すことができ、しかもスペースを開けたときに美しくないしわが入ることがない表紙と、この表紙を用いたノート、書籍とを提供することを目的としている。
【課題を解決するための手段】
【０００８】
本発明に係る表紙は、合成樹脂製の外シートと内シートとを重ね合わせ、両シートの縁部を閉じてなる表紙であって、前記外シートと内シートとの少なくとも一縁部は閉じられておらず外シートと内シートとの間に外部と連通したスペースが形成されており、少なくとも外シートは無色又は有色透明であり、前記外シートと内シートとの縁部のうち、上縁部と、背表紙の下端に相当する部分とがが閉じられておらず、前記外シートと内シートとでは、内シートの方が薄い。
【０００９】
また、本発明に係るノート並びに書籍は、前記表紙と、この表紙の背表紙に接着される中本とを備えており、表紙に中本を接着する接着剤には透光性を有するものが使用されている。
【発明の効果】
【００１０】
本発明に係る表紙は、合成樹脂製の外シートと内シートとを重ね合わせ、両シートの縁部を閉じてなる表紙であって、前記外シートと内シートとの少なくとも一縁部は閉じられておらず外シートと内シートとの間に外部と連通したスペースが形成されており、少なくとも外シートは無色又は有色透明であるから、スペースに写真等のシート状のものを入れにることができる。しかも、その写真等のシート状のものを外部から視認することができる。
【００１１】
しかも、外シートと内シートとの縁部のうち、上縁部と、背表紙の下端に相当する部分とが閉じられていないので、外シートを外側に引っ張ってスペースを開けた場合、背表紙の下端に相当する部分に美しくないしわが入られない。
【００１２】
さらに、外シートと内シートとでは、内シートの方が薄いものとすると、外シートを引っ張ってスペースを開ける際の内シートの変形がよりスムーズになる。
【図面の簡単な説明】
【００１３】
【図１】本発明の実施の形態に係る表紙の概略的斜視図である。
【図２】本発明の実施の形態に係る表紙を用いたノートの表紙を開いた状態を示す概略的斜視図である。
【図３】本発明の実施の形態に係る表紙を用いたノートの背表紙部分の変形を示す要部の概略的斜視図である。
【発明を実施するための形態】
【００１４】
本発明の実施の形態に係る表紙１００は、合成樹脂製の外シート１１０と内シート１２０とを重ね合わせ、両シート１１０、１２０の縁部を閉じてなる表紙であって、前記外シート１１０と内シート１２０との縁部のうち、上縁部１４０と、背表紙１５０の下端に相当する部分１６０とがが閉じられておらず、外シート１１０と内シート１２０との間に外部と連通したスペース１３０が形成されており、外シート１１０及び内シート１２０は無色透明である。
【００１５】
外シート１１０と内シート１２０とは、同じ大きさ、サイズに設定されている。例えば、この表紙１００が、Ａ５版のノート５００に使用されるものであれば、Ａ４版のサイズに背表紙１５０に相当するサイズだけ大きく設定されている。
【００１６】
かかる外シート１１０と内シート１２０とは、例えば、軟質の製合成樹脂であるポリプロピレンから構成される。外シート１１０と内シート１２０と重ね合わせて、図１に示すように縁部のうち、表紙１００として使用した場合、上縁部１４０に相当する一方の長辺側の縁部と、他方の長辺側の縁部のうち背表紙１５０の下端に相当する部分１６０（他方の長辺側の縁部の中点とその前後）と以外の縁部が高周波溶着等の適宜な手段によって閉じられている。
【００１７】
従って、外シート１１０と内シート１２０との間には、上縁部１４０を介して外部と連通したスペース１３０が形成されることになる。このスペース１３０には、写真やメモ等のシート状のもの６００を入れることができる（図２参照）。
【００１８】
外シート１１０には０．３ｍｍ厚のポリプロピレンシートが、内シート１２０にはそれより薄い０．２ｍｍ厚のポリプロピレンシートが使用される。このように、両シート１１０、１２０で厚さが異なり、しかも内シート１２０の方が薄いのは、前記スペース１３０へのシート状のもの６００を出し入れのし易さに関連している。スペース１３０にシート状のもの６００を出し入れする際は、表紙１００を構成している外シート１１０をより外側に向かって引っ張るのであるが、その際の変形量は外シート１１０より内シート１２０の方が大きくなる（図２参照）。このため、内シート１２０の方が薄いとその変形がよりスムーズになる。
【００１９】
また、内シート１２０の内側面１２１、すなわち中本２００の背表紙部分が接着される前記内シート１２０の内側面１２１は、他の面である外側面１２２より粗面に構成されている。内シート１２０の内側面１２１が外側面１２２より粗面に構成されているのは、中本２００の背表紙部分２１０を接着し易くするためである。なお、内側面１２１を粗面にする方法には、例えば、コロナ放電を行ういわゆるコロナ処理等がある。
【００２０】
このように構成された表紙１００を用いたノート５００は、図２に示すように、この表紙１００と、この表紙１００の背表紙１５０に接着される中本２００とを備えており、表紙１００に中本２００を接着する接着剤には透光性を有するポリウレタン系接着剤が使用されている。
【００２１】
ポリウレタン系接着剤は、硬化した後に再溶融することがないので、高温になる炎天下の車両中に放置して問題は生じない。なお、表紙と中本との接着に従来から使用されていたエチレン酢酸ビニル系ホットメルト接着剤では、４５℃程度で再溶解するという問題点があり、炎天下の車両中での問題が発生していた。また、エチレン酢酸ビニル系ホットメルト接着剤では、合成樹脂は接着できない。
なお、このポリウレタン系接着剤は、中本２００の背表紙部分２１０に薄く、０．１〜０．４ｍｍ程度塗布される。
【００２２】
中本２００は、複数の折り丁が積層されて構成されており、各折り丁の背表紙側は異なる色彩で彩色が施されている。
このように構成された中本２００を透光性を有するポリウレタン系接着剤で表紙１００の背表紙１５０（より正確には、表紙１００を構成する内シート１２０の外側面１２２の中央部分）に接着すると、表紙１００の背表紙１５０を介して、中本２００の背表紙部分２１０の色彩を視認することができる。
【００２３】
中本２００の背表紙部分２１０を単なる色彩での彩色ではなく、複数の折り丁が積層された状態で背表紙部分２１０に文字や図形が現れるようにしてもよい。
この中本２００の背表紙部分２１０は、ノート５００を本箱等に立てて収納した場合に唯一見える部分になるので、この部分に文字や図形が現れるようにしておくと目印になる。
また、ノート５００ではなく、書籍であれば、中本２００の背表紙部分２１０にタイトルや作者名を印刷しておけばよい。
【００２４】
このように構成されたノート５００は、表紙１００の上縁部１４０を開いてスペース１３０に写真等のシート状のもの６００を入れることができる。この際、図２に示すように、表紙１００の外シート１１０の上縁部１４０を広げると、表紙１００を構成する外シート１１０の背表紙１５０の下端とその両側は閉じられていないので、図３に示すように、外シート１１０の背表紙１５０の下端１６０とその両側は、内シート１２０に波及することなく下側に向かってずれるように変形する。このため、外シート１１０をより外側に向かって開いても表紙１００の背表紙１５０にしわが入って変形することはない。
【００２５】
かかるノート５００であると、使用者の好みに応じた写真やイラスト、メモ等を表紙のスペース１３０に入れることができるので、簡単に使用者の好みに応じた外観のノート５００とすることができる。
【００２６】
なお、上述の説明では、ノート５００を例に挙げたが、通常の書籍であっても同様であることはいうまでもない。
【００２７】
また、上述の説明では、表紙１００を構成する外シート１１０及び内シート１２０はポリプロピレンシートで形成するとしたが、本発明はこれに限定されるものではなく、合成樹脂製であればよいし、外シート１１０と内シート１２０とで素材を異なるものとしてもよい。例えば、外シート１１０と内シート１２０の両方又は一方をポリエチレンテレフタレート樹脂（ＰＥＴ樹脂）や酢酸ビニルで形成してよい。
【００２８】
さらに、外シート１１０及び内シート１２０は無色透明であるとしたが、有色透明であってもよいし、内シート１２０は不透明であってもよい。スペース１３０に入れたシート状のもの６００が外側から視認することができることが重要な点である。
また、内シート１２０に横向きの略Ｕ字形所の切れ込みをいれ、この切れ込みによって分離される部分をブックマークとして使用することも可能である。
さらに、内シート１２０に横一の切れ込みを入れ、この切れ込みにペンを差し込むことができるペンホルダーとしてもよい。
【００２９】
また、スペース１３０に入れられる写真やメモ等のシート状のもの６００は、表紙１００の全面（表表紙、裏表紙及び背表紙１５０）にまたがるブックカバー的なものであってもよい。
【符号の説明】
【００３０】
１００    表紙
１１０    外シート
１２０    内シート
１３０    スペース
１４０    上縁部
１５０    背表紙
１６０    （背表紙）の下端
【図１】
0005852805.tif 000002
【図２】
0005852805.tif 000003
【図３】
0005852805.tif 000004